(57)【要約】  本発明は、基板５の孔９９にアンカを留めるための前方領域３２に留め付け領域２２を有するアンカ１と、引張力を導入するための後方領域３３に荷重受け具１８と、を備えた留め付けシステムに関する。基板の基準位置から前方領域までの距離を測定するためのセンサ４０が配置されている。本発明は、この種の留め付けシステムを用いた測定方法にも関する。【選択図】図１
2019528447.tif 000002
【特許請求の範囲】
【請求項１】
基板（５）の孔（９９）にアンカ（１）を留め付けるため、の前方領域（３２）に留め付け領域（２２）を有する前記アンカ（１）と、引張力を導入するため、後方領域（３３）に荷重受け具（１８）と、を備えた留め付けシステムであって、
前記基板（５）の基準位置から前方領域（３２）までの距離を測定するためのセンサ（４０）が配置されている、ことを特徴とする留め付けシステム。
【請求項２】
前記センサ（４０）は前記アンカ（１）に組み込まれている、ことを特徴とする請求項１に記載の留め付けシステム。
【請求項３】
前記センサ（４０）の少なくとも１つの要素が前記アンカ（１）から分離されている、ことを特徴とする請求項１に記載の留め付けシステム。
【請求項４】
前記アンカ（１）はボルト（１０）を備え、前記基板（５）の基準位置から前記ボルト（１０）の前記前方領域（３２）までの距離を測るための前記センサ（４０）が設けられている、ことを特徴とする請求項１乃至３の何れか１つに記載の留め付けシステム。
【請求項５】
前記アンカ（１０）は拡張アンカであり、前記ボルト（１０）に設けられる前記ダボ本体（２０）の拡張体（１２）とともに、前記留め付け領域（２２）で前記ボルト（１０）に隣接する、拡張スリーブであるダボ本体（２０）を備える、ことを特徴とする請求項４に記載の留め付けシステム。
【請求項６】
前記センサ（４０）の少なくとも１つの要素は前記ボルト（１０）に位置する、ことを特徴とする請求項４又は５に記載の留め付けシステム。
【請求項７】
前記センサ（４０）は、前記ボルト（１０）の前面から発信する信号を送信するための送信要素（４１）を備える、ことを特徴とする請求項４乃至６の何れか１つに記載の留め付けシステム。
【請求項８】
前記送信要素（４１）は前記ボルト（１０）の前端面（３１）に配置されている、ことを特徴とする請求項７に記載の留め付けシステム。
【請求項９】
前記センサ（４０）は、前記基板（５）により反射される信号を検出するための受信要素（４２）を備える、ことを特徴とする請求項１乃至８の何れか１つに記載の留め付けシステム。
【請求項１０】
前記受信要素（４２）は前記ボルト（１０）の前記前端面（３１）に配置されている、ことを特徴とする請求項９に記載の留め付けシステム。
【請求項１１】
前記留め付けシステムは、前記アンカ（１）の発生し得る変位を判定するために、前記センサ（４０）により生成される信号を異なる時点で評価することができる評価装置（４３）を備える、ことを特徴とする請求項１乃至１０の何れか１つに記載の留め付けシステム。
【請求項１２】
請求項１乃至１１の何れか１つに記載の留め付けシステムが設けられ、前記基準位置からの前記前方領域（３２）の前記距離と相関する信号が、前記センサ（４０）により生成される、ことを特徴とする測定方法。
【請求項１３】
前記基準位置からの前記前方領域（３２）の前記距離と相関する前記信号は、発生し得る前記アンカ（１）の変位を異なる時点において判定するために評価される、ことを特徴とする請求項１２に記載の測定方法。
【発明の詳細な説明】
【技術分野】
【０００１】
本発明は、請求項１の規定に基づく留め付けシステムに関する。この種の留め付けシステムは、前方領域に基板の孔にアンカを留めるための留め付け領域を有するアンカと、後方領域に引張力を導入するための荷重受け具とを備える。本発明は、この種の留め付けシステムを用いた測定方法にも関する。
【背景技術】
【０００２】
留め付けシステムのための拡張アンカは、例えば、特許文献１から既知である。これらは構成要素たる基板（被留め付け部材）、例えば、壁又は天井の基板の孔に挿入され、そして拡張アンカのボルトに配置されたナットを締めることにより予備拡張される。ボルトの予備拡張中に、ボルトに設けられた拡張体が拡張スリーブとして構成されたダボ本体に引き込まれ、よってダボ本体は径方向に拡張して径方向外側に押し出され、よって拡張ダボは基板に留め付けられる。所定の予備拡張力を加えるために、トルクレンチを拡張アンカに用い得る。
【０００３】
特許文献２は、１種のワッシャとして構成される予備拡張制御要素を記載し、この予備拡張制御要素は拡張アンカで使用され、検出可能な必要な予備拡張力に到達することを目的としている。
【０００４】
特許文献３は、高荷重用のアンカにおける予備拡張力の光ファイバ測定のための装置であって、測定に用いる光ファイバ導波路が圧力分散ワッシャに配置された装置を記載している。
【０００５】
特許文献４は、組み込みセンサを有するねじを記載している。この組み込みセンサはねじの内部で軸方向に延びるめくら穴へ光を発し、エコー信号を評価する。ねじの変形及び引張荷重に関する情報は、この信号から得られる。
【０００６】
特許文献５は、ねじ接続を製造し及び監視するための装置を示している。この装置により２つの要素が所定の予備拡張力で互いに押圧される。特許文献５によると、めくら穴として構成され且つねじの軸方向に動く測定孔が設けられ、測定孔では深さ測定が行われ、対応の深さ測定装置が外部に、具体的には自動又は手動のねじ回しのねじ工具に配置されている。予備拡張力と密接に相関する信号が深さ測定中に得られる。
【先行技術文献】
【特許文献】
【０００７】
【特許文献１】欧州特許第０５１４３４２号明細書
【特許文献２】独国特許第４４２１９５９号明細書
【特許文献３】独国特許第４０３７０７７号明細書
【特許文献４】国際公開第２０１５／１５０５４４号
【特許文献５】独国特許第１９７０５３４６号明細書
【発明の概要】
【発明が解決しようとする課題】
【０００８】
本発明の目的は、特に強固で確実な締結を特に容易に可能とするアンカを備えた留め付けシステムに加え、この種の留め付けシステムにおける測定方法を提供することである。
【０００９】
本発明の目的は、請求項１の技術的特徴を有する留め付けシステム及び請求項１２の技術的特徴を有する測定方法により達成される。好ましい実施例は、従属項に記載されている。
【課題を解決するための手段】
【００１０】
本発明の留め付けシステムは、基板（被留め付け部材）の基準位置から前方領域までの距離を測定するためのセンサが配置されている、ことを特徴とする。
【００１１】
本発明は、ねじ、ナット、及びワッシャからなる純粋なねじ接続の作用においては、一般的に非常に重要とされ、そのため先行技術ではセンサで頻繁に監視されるボルトの予備拡張は、拡張アンカとして構成されるアンカではそれほど重要視しなくてもよい、という知見に基づいている。結局のところ、拡張アンカとして構成されるアンカの拡張機構は、拡張の原理によりアンカの再拡張が可能であり、予備拡張のレベルが低下した後でもなお拡張アンカを頻繁に留め付けることができる。
【００１２】
さらなる知見としては、この種の拡張アンカにおいて、孔沿いの前方領域の位置、すなわち拡張機構が含まれる留め付け領域が設けられる領域の位置、及び特にこの位置の経時的変化は、留め付けシステムの即時の性能を示すより好都合な指標となり得ることである。そのため、初期拡張及び可能であればその後の再拡張は常に拡張機構の変位を伴う。結果として、特に孔の拡張機構に設けられる前方領域の位置の自動測定は、拡張挙動及びそれ故に留め付け挙動の監視を効率化することができ、留め付けシステムの性能及び信頼性を特に容易に向上させることができる。
【００１３】
この点において本発明は有用であり、本発明によれば、基板上に又は基板内に位置する基準位置からのアンカの前方領域、特にそのボルトの前方領域までの距離を測定することができ、この距離と相関する信号、特に電気信号を出力することができるセンサが提供される。これは、基板、例えば、コンクリート基板はアンカの一般的用途の場合には比較的剛性が高く、通常の供用中に変形はほとんどないという知見に基づく。そのため、基板の基準位置は、アンカが留め付けられた孔に対し、一般的に比較的位置が安定している。そのため、本発明の距離測定により、孔のアンカの関連する位置データは特に容易且つ確実に検出することができ、すでに説明した通り、拡張アンカの拡張挙動に起こりうる変化及びそれ故に発生し得る留め付けシステムの耐荷重力の変化についての結論を導き出すことができる。起こりうる損傷も検出することができる。結果として、拡張アンカによる特に強力且つ確実な留め付けを、本発明のセンサにより特に容易に実現することができる。
【００１４】
孔及び／又は周囲の基板に対する前方領域の変位についての上述の判定に加え、本発明のセンサから受信する信号は、その他のパラメータの直接的又は間接的な判定、例えば、外力又は留め付けシステムの剛性の判定にも用いてよい。
【００１５】
本発明の留め付けシステムで用いるアンカは、例えば、拡張アンカでよい。拡張アンカとは、特にアンカのボルトの機械的効果、好ましくは引張力により、拡張アンカを留め付けるための、その留め付け領域に径方向に拡張する拡張機構を備えるアンカと理解してよく、この機械的効果により拡張アンカは孔の壁に留め付けられる。拡張アンカは、別の工具又はアンカ自身を用いて予め形成される孔のアンダーカットに留め付けられるアンダーカットアンカとしても構成してもよい。
【００１６】
アンカは、しかしながら、化合物アンカでもよい。化合物アンカとは、特に、硬化性化合物により孔に固定されるアンカと理解してよい。
【００１７】
荷重受け具を用いて、アンカ、特にそのボルトに、特に引抜き方向の引張力を導入するとともに横方向力をも導入すると特に好ましい。それは、特にボルトに位置してよい。荷重受け具は、雄ねじとして構成される。しかし、雌ねじ又は頭部として構成してもよい。
【００１８】
前方領域はアンカの先端の近くに位置するため、前方領域は先端領域と定義してもよい。前方領域は前端領域であることが好ましい。それは、例えば、アンカの長さの最大５０％、３０％、又は１０％を超えて延びていてもよい。後方領域は、前方領域の反対側に位置する。留め付け領域が位置する前方領域は、特にアンカのボルトの前方領域である。後方領域は、特にアンカのボルトの後方領域である。
【００１９】
すなわち、アンカが孔に入れられた場合及び特に孔に留め付けられた場合に、センサが用いられ、作動状態にあるアンカの位置を判定する。そのため、センサは、特に基板の基準位置から孔に配置された前方領域までの距離を測定するために設けられる。本発明のセンサは、必要に応じ、他のセンサ、例えば、アンカのボルトの予備拡張を判定するためのセンサと組み合わせてもよい。
【００２０】
本発明の留め付けシステムは、アンカを入れる孔を有する基板（被留め付け部材）を覆うものである。しかし、基板は、留め付けシステムとは別の部品とも考えてよい。この基板は、鉱物質建築材料、好ましくはコンクリートから形成される。
【００２１】
基準位置は基板の壁、例えば、孔の壁、孔の基底、又は孔から離れた基板の外面に設けられる。この基準位置は基板の内部に位置され得るが、その場合、例えば、基板に内蔵された基準物、例えば、内蔵の基準磁石により規定してもよい。そのため、基準位置は、基板上だけでなく、基板内にも位置し得る。
【００２２】
センサがアンカに組み込まれ、特にアンカにすべてのセンサ要素が含まれることが特に好ましい。この場合、センサがアンカとともに取り付けられているため、特に優れた使い易さ且つ高い信頼性が実現し得る。
【００２３】
しかし、センサの少なくとも１つの要素、例えば、基準要素は、特にこの要素を含むことが可能な、別部品としてアンカから分離されていてもよい。例えば、センサの送信要素は、基板内及びアンカの受信要素に配置してよい。これが測定精度に関して都合が良いのは、少なくとも１つの要素が基準位置に位置し得るからである。さらに、この種の構成が費用面からも都合が良いのは、例えば、複数のセンサが１つの要素、例えば、送信要素を共有する場合である。基本的に、センサはアンカから完全に分離していてもよいのは、例えば、センサがレーザー三角測量センサであるか又はアンカのボルトが挿入されるコイルを備える場合である。しかし、センサの少なくとも１つの要素は、アンカ、特にボルトに位置することが好ましい。
【００２４】
センサは以下のような測定の原則に基づいており、とりわけ、
１．アンカと孔の基底との間の測定は、
−超音波、例えば、伝播時間の測定により行う。
２．検出要素と基準要素との間の測定：
−基板に内蔵された又は基板表面上（例えば、孔の基底上、孔の壁上、又は孔の外側）の基準要素、例えば、磁石又は鉄筋とアンカ上の検出要素、例えば、磁界検出器；
−基板に内蔵された又は基板表面上の検出要素とアンカ上の基準要素。
３．アンカと孔の壁の間の測定
−例えば、カメラ又は形状のスキャニングによる孔の壁の表面構造の検出。
【００２５】
既に何回か述べた通り、アンカがボルトを備えると都合がよい。センサにより基準位置からの距離が判定される前方領域は、ボルトの前方領域が好ましい。すなわち、センサが基板の基準位置からボルトの前方領域までの距離を測るために配置されることが好ましい。結果として、ボルトの前方領域の位置、特に、拡張アンカにダボ本体の拡張体が配置されている領域に関する知見により、アンカの状態についての結論が特に容易に得ることができる。そのため、特に本発明では、ボルトを有するアンカを備えた留め付けシステムであって、アンカはボルトの前方領域に、基板の孔にアンカを留めるための留め付け領域を有するとともに、特にボルトの後方領域にボルトに引張力を導入するために荷重受け具を有することが好ましく、基板の基準位置からボルトの前方領域までの距離を測るためのセンサが設けられている。
【００２６】
上述の通り、アンカは、その留め付け領域において、ボルトと隣接するダボ本体、特に拡張スリーブと、ボルトに配置されたダボ本体のための拡張体と、を備える拡張アンカであることが特に好ましい。この種の拡張アンカにおいて、本発明のセンサにより得られた測定値は特に有意義となり得る。アンカは、特に力制御方式の拡張アンカの種類でよい。
【００２７】
ダボ本体に対する拡張体の軸方向変位中にダボ本体を径方向に変位させるため、すなわちダボ本体に対してボルトの引抜き方向に拡張体を径方向に動かして、ダボ本体を拡張体により径方向外側に変位させ、基板の孔の壁に押圧するために、拡張体が設けられる。操作中、特に拡張体に設けられた斜面において実行され、拡張スリーブとして構成することが好ましいダボ本体により、拡張アンカは孔に留め付けられる。引抜き方向は、ボルトの長手方向軸に平行か及び／又は孔を起点とすることが好ましい。特に、ボルトの長手方向軸から拡張体表面までの距離は、拡張体上の引抜き方向に増加する。
【００２８】
ダボ本体が少なくとも部分的にボルトを囲む拡張スリーブであり、及び／又は拡張体が拡張コーンであると特に都合がよい。これにより周方向での特に一様な力の導入が達成される。ボルトの長手方向軸の周りの拡張スリーブの拡張角度は、少なくとも２７０°である。拡張コーンは拡張スリーブを広げるために、具体的には、拡張スリーブを径方向に拡張するために配置される。拡張コーンは、数学的に厳密な円錐面を有し得るが、これは必ずしも必要ではない。
【００２９】
特に、拡張体の引抜き方向の方向ベクトルは、荷重受け具に向けて方向付けられる。ボルトの長手方向軸から拡張体の表面までの距離は、荷重受け具からの距離の増加とともに増加することが好ましい。ダボ本体は、特にボルト沿いに、可動に位置し、特にボルトに留め付けられる。「径方向」及び「軸方向」とは、特にボルト及び／又はアンカの長手方向軸に当てはまり、特にボルト又はアンカの対称軸及び／又は中心軸であり得る。
【００３０】
センサの少なくとも１つの要素、特に送信要素又は受信要素は、ボルトに位置していることが特に好ましい。センサ全体がボルトに位置していることが好ましい。このような配置において、基準位置からボルトの前方領域までの距離は特に容易に判定することができる。
【００３１】
センサは、ボルトの前側から発信する信号を送信するための送信要素を備えると都合がよい。こうすると、測定精度及び信頼性において好都合である。信号は、例えば、超音波信号でよい。
【００３２】
送信要素がボルトの前端面に配置されると、エネルギー消費、測定精度、及び製造上の煩雑性において好都合である。前端面は必ずしも平坦である必要はないものの、例えば、以下でさらに述べる送信要素及び／又は受信要素が配置されためくら穴を有してもよい。
【００３３】
センサは、基板から反射される信号、特に基板からボルトに反射される信号を検出するための受信要素を備えることが好ましい。これにより、測定精度及び信頼性において好都合である。反射信号は、特に送信要素により送信され、基板、例えば、その表面により反射される信号である。例えば、特に信号が超音波信号の場合、センサは伝播時間計測向けの構成を有し得る。
【００３４】
送信要素がボルトの前端面に有効に配置されると、エネルギー消費、測定精度、及び製造上の複雑さの観点において好都合となり得る。
【００３５】
本発明のさらなる好ましい実施例において、留め付けシステムは評価装置を備え、この評価装置は異なる時点でセンサにより生成される信号を評価し、アンカの発生し得る変位、特にそのボルトの変位を判定することができる。そのため、前方領域の位置だけでなく、この位置の経時的変化、換言すると、前方領域の変位が検出される。この種の測定は、アンカの荷重挙動に対しても特に有意義となり得る。そのため、特にセンサは、アンカの変位と相関する信号、好ましくは電気信号を生成し、特に好ましくはアンカのボルトの変位と相関する信号、好ましくは電気信号を生成することができる。
【００３６】
アンカが拡張アンカとして構成される場合は、それはボルト型拡張アンカであることが好ましい。この種の拡張アンカにおいては、拡張アンカが設置されてた場合に拡張体がダボ本体に引き込まれる。これはボルトのダボ本体に対する軸方向変位によるものである。ボルト型拡張アンカにおいて、ボルトは一体型であることが好ましい。特に、拡張体は隣接するボルトの領域と一体となるように構成される。止め具、例えば、環状ショルダを、ボルトに形成することが好ましい。この止め具は、ダボ本体が拡張体からの変位するのを阻止する。
【００３７】
以上に代わり、拡張アンカをスリーブ型の拡張アンカとしてもよい。スリーブ型の拡張アンカにおいて、ボルトは拡張体とは別のアンカーロッドを備え、拡張体は対応のねじを介してアンカーロッドに接続されることが好ましい。拡張アンカを設置する場合の拡張体のダボ本体への引き込みは、少なくとも部分的にはアンカーロッドの拡張体に対する回転により行われるのであって、対応のねじにより形成される主軸駆動により、この回転は拡張体がアンカーロッドに対して軸方向運動となるよう変換される。スリーブ型の拡張アンカにおいて、特に多部品構成でもよいダボ本体は、孔の口まで延びていてもよい。
【００３８】
本発明はまた測定方法であって、本発明の留め付けシステムが設けられ、基準位置から前方領域までの距離と相関する信号がセンサにより生成される、ことを特徴とする測定方法にも関する。そのように、センサは意図した通りに使用される。
【００３９】
特に、基準位置から前方領域までの距離と相関する信号は評価され、異なる時点におけるアンカの起こり得る変位が判定されることとなる。そのため、前方領域の位置だけでなく、この位置の経時的変化、換言すると、前方領域の変位が検出される。このような測定は、アンカの荷重挙動について特に有意義である。
【００４０】
本発明は、添付の図面に概略的に描かれた好ましい実施例に基づき以下で詳細に説明される。基本的に、本発明の技術的範囲内で、以下で記載する実施例の個別の機能を個別に又は任意に組み合わせて実施することが可能である。
【図面の簡単な説明】
【００４１】
【図１】本発明の留め付けシステムの１つの実施例を概略的に示す部分的縦断面図である。
【発明を実施するための形態】
【００４２】
図１は、本発明の留め付けシステムの実施例を示す。図１が示す通り、留め付けシステムは孔９９を有する基板（被留め付け部材）５と、例えば、拡張アンカとして構成され、孔９９に留め付けられたアンカ１とを備える。
【００４３】
アンカ１は、ボルト１０と、拡張スリーブとして構成され、ボルト１０の前方領域３２に配置された留め付け領域２２でボルト１０を囲むダボ本体２０と、を備える。留め付け領域２２において、ボルト１０は、例えば、拡張コーンとして図示されている、ダボ本体２０の拡張体１２を備える。拡張体１２上で、ボルト１０は後方から前方へと伸びる（下記でより詳細に記載する通り、荷重受け具１８の長さの増加とともに）。ボルト１０の断面積は、ボルト１０の長手方向軸１００からボルト面までの距離の増加につれ、ボルト１０沿いに後方から前方へと増加する。拡張体１２がダボ本体２０を径方向外側に押し出得るのは、拡張体１２、特にボルト１０が拡張体１２とともに引抜き方向１０１に、ダボ本体２０に対して軸沿いに、移動する場合である。ダボ本体２０は孔９９の壁９８に押圧され、アンカ１は孔９９に留め付けられる。拡張体１２及びダボ本体２０は、孔９９にアンカ１を留めるための留め付け領域２２に配置される拡張機構を形成する。
【００４４】
ボルト１０の前方領域３２の反対側の後方領域３３において、ボルト１０は荷重受け具１８を備え、この荷重受け具１８はアンカ１に、特にそのボルト１０に、引張力を引抜き方向１０１に印加する。この場合の荷重受け具１８は、例えば、雄ねじとして図示されている。
【００４５】
アンカ１のボルト１０はアッタチメント６を通って基板５の孔９９に入り、アンカ１の前方領域３２は基板５の孔９９に位置し、アンカ１の後方領域３３は少なくとも部分的に孔９９に位置する。ナット８は雄ねじとして構成される荷重受け具１８にねじ止められ、アッタチメント６をアンカ１に、それ故に基板５に保持する。ナット８を締めることにより、引抜き方向１０１に向かう引張力が、拡張機構を作動させるボルト１０に加えられ得る。
【００４６】
ボルト１０は止め具１７を有し、この止め具１７は拡張スリーブとして構成されるダボ本体２０の例えば、環状段部として構成されることが好ましく、この止め具１７はダボ本体２０のボルト１０に対する後方、特に後方領域３３へ移動するのを阻止する。
【００４７】
アンカ１が設置されると、ボルト１０は、前方領域３２を先頭にして、ボルト１０の長手方向軸１００と平行に、引抜き方向１０１とは反対方向に、孔９９へと押し込まれる。止め具１７により、拡張スリーブとして構成されるダボ本体２０も基板５の孔９９へと導入される。次にボルト１０は、長手方向軸１００と平行な引抜き方向１０１に、例えば、締付ナット８を締め付けることにより、孔９９から短い長さ分だけ再度引き抜かれる。孔９９の壁９８との摩擦により、拡張スリーブとして構成されたダボ本体２０は後方に残り、ボルト１０がダボ本体２０に対し変位する。この変位の発生中に、ボルト１０の拡張体１２はダボ本体２０の奥深くへと貫入し、ダボ本体２０は拡張体１２により径方向に拡張し、孔９９の壁９８に押し付けられる。この仕組みにより、アンカ１は基板５に固定される。
【００４８】
留め付けシステムはセンサ４０をさらに備え、このセンサ４０は、評価装置４３を含む、送信要素４１と受信要素４２とを有する。この実施例において、送信要素４１と受信要素４２の両方がアンカ１、特にそのボルト１０に配置される。しかし、基本的に、これらの要素４１又は４２の１つは、例えば、基板５に配置してもよい。
【００４９】
特に、送信要素４１と受信要素４２の両方は前端面３１に、すなわち、特に前方に向かってボルト１０を閉鎖し、孔９９の基底９７に対向し、及び／又は前方領域３２を前方に制限する端面に配置される。
【００５０】
図１の矢印が示す通り、送信要素４１は、ボルト１０の前側から出射する、音響信号、特に超音波信号を発信する。この音響信号は基板５、特に孔９９の基底９７により、ボルト１０の方向に反射され、反射信号はボルト１０の受信要素４２により検出される。センサ４０は反射信号の伝播時間を評価し、それに基づき、センサ４０の軸方向位置及びそれ故に孔９９の前方領域３２の軸方向位置に相関する信号、特に孔９９の基盤９７から前方領域３２までの距離に相関する電気信号を生成する。
【００５１】
孔９９の前方領域３２の軸方向位置に相関する電気信号は、異なる時点においてセンサ４０の評価装置４３により評価される。この評価に基づき、センサ４０、特に評価装置４３は孔９９のボルト１０の変位に相関する信号、特に電気信号を生成する。この信号により、アンカ１の耐荷重力についての結論を得ることができる。
【図１】
2019528447.tif 000003
【国際調査報告】
2019528447.tif 000004
2019528447.tif 000005
2019528447.tif 000006
2019528447.tif 000007